【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
添加剤として極圧剤を含む潤滑油の劣化診断方法であって、
添加剤の劣化度合が異なる潤滑油に含まれる添加剤の濃度と、前記劣化度合が異なる潤滑油について光学式センサの計測データに基づき求められる色度データとの相関関係を予め求めておき、
潤滑油の劣化診断の際に、前記光学式センサにより劣化診断対象の潤滑油の色度データを得て、前記劣化診断対象の潤滑油の色度データと前記予め求めたおいた相関関係に基づき、前記劣化診断対象の潤滑油に含まれる添加剤の濃度を定量することを特徴とする潤滑油の劣化診断方法。
【請求項２】
請求項１の潤滑油の劣化診断方法において、
前記添加剤を含む潤滑油は風力発電機の回転部品の潤滑に用いられ、
前記光学式センサを前記風力発電機のナセル内に設置して、前記光学式センサにより前記回転部品内の潤滑油を測定し、測定データを前記予め求めておいた関係を格納する前記風力発電機の外部のサーバに送信し、前記外部のサーバにおいて劣化診断対象の潤滑油に含まれる添加剤の濃度を定量することを特徴とする潤滑油の劣化診断方法。
【請求項３】
添加剤を含む潤滑油の劣化診断方法であって、
添加剤の劣化度合が異なる潤滑油に含まれる添加剤の濃度と、前記劣化度合が異なる潤滑油について光学式センサの計測データに基づき求められる色度データとの相関関係を予め求めておき、
潤滑油の劣化診断の際に、前記光学式センサにより劣化診断対象の潤滑油の色度データを得て、前記劣化診断対象の潤滑油の色度データと前記予め求めたおいた相関関係に基づき、前記劣化診断対象の潤滑油に含まれる添加剤の濃度を定量し、
前記劣化診断対象の潤滑油の色度データにおけるＲ，Ｇ，Ｂの全ての値が、新品潤滑油のＲＧＢ値に対して低下している場合には、前記劣化診断対象の潤滑油が汚染されていると判断することを特徴とする潤滑油の劣化診断方法。
【請求項４】
回転機械の駆動部に供給される潤滑油の監視システムであって、
潤滑油の色度に関するデータを測定する光学式センサ、入力装置、処理装置、記憶装置および出力装置を備え、
前記処理装置は、添加剤の劣化度合が異なる潤滑油に含まれる添加剤の濃度と前記劣化度合が異なる潤滑油の光学式センサによる色度データとの予め求めておいた関係、及び、前記光学式センサにより得られる監視対象の潤滑油の色度データに基づき、前記監視対象の潤滑油に含まれる添加剤の濃度を定量し、
前記記憶装置は、前記処理装置で定量された前記監視対象の潤滑油に含まれる添加剤の濃度データを時系列的に格納し、
前記処理装置は、前記記憶装置に時系列的に格納された添加剤の濃度データに基づいて前記監視対象の潤滑油に含まれる添加剤の濃度が所定閾値となる時期を推測し、
前記出力装置は前記処理装置で推測して得られた前記所定閾値となる時期を出力することを特徴とする回転機械の潤滑油の監視システム。
【請求項５】
請求項４の回転機械の潤滑油の監視システムにおいて、
前記回転機械は風力発電機であり、
前記光学式センサは、前記風力発電機のナセル内の回転部品の潤滑油を計測するように前記ナセル内に設置されていることを特徴とする回転機械の潤滑油の監視システム。
【請求項６】
請求項４または５の回転機械の潤滑油の監視システムにおいて、
前記処理装置は、前記監視対象の潤滑油の前記光学式センサの色度データにおけるＲ，Ｇ，Ｂの全ての値が、新品潤滑油のＲＧＢ値に対して低下している場合には、前記監視対象の潤滑油が汚染されていると判断することを特徴とする回転機械の潤滑油の監視システム。
【請求項７】
請求項４〜６の何れかの回転機械の潤滑油の監視システムにおいて、
前記記憶装置は、前記回転機械の運転パラメータを時系列的に格納し、
前記処理装置は、前記記憶装置に時系列的に格納された運転パラメータに基づき、前記監視対象の潤滑油に含まれる添加剤の濃度を所定閾値となる時期を補正して推測することを特徴とする回転機械の潤滑油の監視システム。
【請求項８】
請求項７の回転機械の潤滑油の監視システムにおいて、
前記回転機械は風力発電機であり、
前記運転パラメータは、前記回転機械の総運転時間、総発電量、総回転数から選ばれた少なくとも一つであることを特徴とする回転機械の潤滑油の監視システム。
【請求項９】
請求項４〜８の何れかの回転機械の潤滑油の監視システムにおいて、
前記出力装置は、表示装置を含み、前記光学式センサにより得られる監視対象の潤滑油の色度データを変換して監視対象の潤滑油の色を前記表示装置に表示することを特徴とする回転機械の潤滑油の監視システム。
【請求項１０】
請求項１〜３の何れかに記載の潤滑油の劣化診断方法を用いた回転機械の潤滑油の監視方法であって、
前記光学式センサにより監視対象の潤滑油に含まれる添加剤の濃度を測定する第１のステップ、
前記第１のステップで測定した前記添加剤の濃度を、記憶装置に時系列に格納して時系列の添加剤濃度データとする第２のステップ、
前記第２のステップで格納した時系列の添加剤濃度データに基づき前記添加剤の濃度が所定閾値となる時間を推測する第３のステップを有することを特徴とする回転機械の潤滑油の監視方法。
【請求項１１】
請求項１０の回転機械の潤滑油の監視方法において、
前記回転機械の運転パラメータを前記記憶装置に時系列に格納して、時系列の運転パラメータデータとする第４のステップを備え、
前記第３のステップでは、前記添加剤濃度データの過去のデータと、前記運転パラメータデータの過去データおよび将来予測データに基づいて、前記添加剤濃度データの将来のデータを予測することを特徴とする回転機械の潤滑油の監視方法。
【請求項１２】
潤滑油の診断方法であって、
光学式センサの計測に基づき前記潤滑油の色度データを求め、
前記色度データにおけるＲ，Ｇ，Ｂそれぞれの経時変化の相対的な比較に基づき、前記潤滑油の劣化度を推定することを特徴とする潤滑油の診断方法。
【請求項１３】
請求項１に記載の潤滑油の劣化診断方法であって、
前記色度データにおけるＢの値に基づき、前記潤滑油に含まれた添加剤の濃度を推定することを特徴とする潤滑油の劣化診断方法。
【請求項１４】
請求項１に記載の潤滑油の劣化診断方法であって、
前記色度データにおけるＲ，Ｇ，Ｂに基づき、前記潤滑油の汚染度と前記潤滑油に含まれた添加剤の濃度とを推定することを特徴とする潤滑油の劣化診断方法。
【請求項１５】
請求項１に記載の潤滑油の劣化診断方法であって、
前記色度データに基づき、前記潤滑油に含まれた色度変化の特性が異なる複数種類の添加剤の濃度を推定することを特徴とする潤滑油の劣化診断方法。
【請求項１６】
回転機械の駆動部に供給される潤滑油の監視システムであって、
潤滑油の色度に関するデータを測定する光学式センサ、入力装置、処理装置、記憶装置および出力装置を備え、
前記処理装置は、前記光学式センサにより得られる監視対象の潤滑油の色度データに基づき、前記監視対象の潤滑油に含まれる添加剤の濃度を推定し、
前記記憶装置は、前記処理装置で定量された前記監視対象の潤滑油に含まれる添加剤の濃度データを時系列的に格納し、
前記処理装置は、前記記憶装置に時系列的に格納された添加剤の濃度データに基づいて前記監視対象の潤滑油に含まれる添加剤の濃度が所定閾値となる時期を推測し、
前記出力装置は前記処理装置で推測して得られた前記所定閾値となる時期を出力することを特徴とする回転機械の潤滑油の監視システム。
【請求項１７】
請求項４〜９、１６の何れかに記載の回転機械の潤滑油の監視システムを備えた回転機械のシステム。
【手続補正２】
【補正対象書類名】明細書
【補正対象項目名】００３５
【補正方法】変更
【補正の内容】
【００３５】
具体的な酸化防止剤としては、フェノール誘導体（2,6-ジ-tert-ブチル p-クレゾール （ＢＨＴ）、2,6-ジ-tert-ブチル p-フェノール （ＤＢＰ）、4,4’-メチレンビス（2,6-ジアルキルフェノール）など）、アミン誘導体（2,6-ジアルキル-α-ジメチルアミノパラクレゾール、4,4’-テトラメチルジアミノジフェニルメタン、オクチル化フェニルナフチルアミン、ジ-オクチル-ジフェニルアミン、ジノニル-ジフェニルアミン、フェノチアジン、2,2,4-トリメチルジヒドロキシキニザリン、など）、金属ジチオフォスフェート、アルキル硫化物、など、1,4-ジオキシジアントラキノン （別名：キニザリン）、1,2-ジオキシジアントラキノン (別名：アリザリン)、ベンゾトリアゾール、アルキルベンゾトリアゾール、などがある。
【手続補正３】
【補正対象書類名】明細書
【補正対象項目名】００５９
【補正方法】変更
【補正の内容】
【００５９】
また、本実施例は、処理装置、記憶装置、入力装置、および出力装置を備えたサーバを用いる、光学式潤滑油センサを用いた風力発電機の潤滑油の監視方法である。この方法は、風力発電機の潤滑油の色度データを取得する第１のステップ、サンプルに含まれる添加剤の濃度を測定する第２のステップ、測定した添加剤の濃度を、記憶装置に時系列に格納して添加剤濃度データとする第３のステップ、処理装置が添加剤濃度データを処理することにより、添加剤の濃度が所定閾値となる時間を推測する第４のステップを実行する。
（１．システム全体構成）
図９に潤滑油供給系統を有する風力発電機の潤滑油の監視システムの概略図を示す。図９には説明のため、図１の風力発電機１のナセル３部分を抽出して示している。ナセル３内部には、主軸３１、増速機３３、発電機３４、図示しないヨー、ピッチなどの軸受があり、これらにはオイルタンク３７から潤滑油が供給される。
【手続補正４】
【補正対象書類名】明細書
【補正対象項目名】０１０２
【補正方法】変更
【補正の内容】
【０１０２】
定量を行う添加剤は、具体的には、高級脂肪酸、高級アルコールおよびアミン、エステル、金属せっけんなどの油性剤，ジアルキルジチオリン酸亜鉛（ＺnＤＴＰ：Zinc Dialkyldithiophosphate，ＺＤＤＰとも呼ばれる）のような摩耗防止剤、ナフテン酸鉛、硫化パーム油、硫化脂肪エステル、ジベンジルジサルファイド、アルキルポリサルファイド、オレフィンポリサルファイド、ザンチックサルファイド、塩素化パラフィン、メチルトリクロロステアレート、アルキルチオリン酸アミン、クロロアルキルザンテート、トリフェニルフォスフォロチオネート（ＴＰＰＴ：Triphenyl Phosphorothionate）などの極圧剤、フェノール誘導体（2,6-ジ-tert-ブチル p-クレゾール （ＢＨＴ）、2,6-ジ-tert-ブチル p-フェノール （ＤＢＰ）、4,4’-メチレンビス（2,6-ジアルキルフェノール）など）、アミン誘導体（2,6-ジアルキル-α-ジメチルアミノパラクレゾール、4,4’-テトラメチルジアミノジフェニルメタン、オクチル化フェニルナフチルアミン、ジ-オクチル-ジフェニルアミン、ジノニル-ジフェニルアミン、フェノチアジン2,2,4-トリメチルジヒドロキシキニザリン、など）、金属ジチオフォスフェート、アルキル硫化物、など、1,4-ジオキシジアントラキノン （別名：キニザリン）、1,2-ジオキシジアントラキノン (別名：アリザリン)、ベンゾトリアゾール、アルキルベンゾトリアゾール、などの酸化防止剤、の中から選ばれた１種以上の添加剤である。